(57)【要約】【課題】ユーザが任意の設定をした転写紙で週刊誌モードの印刷やコピーを行なう画像形成装置、画像形成方法および記録媒体を提供する。【解決手段】複数または単数の画像データを入力する画像データ入力手段と、集約モードが設定されている場合は、集約前の画像データ毎に入力手段で入力された画像データを蓄積する画像データ蓄積手段と、蓄積された画像データを集約・編集をして出力用画像データを生成する集約・編集画像データ生成手段と、出力用画像データを出力する給紙段を検索する給紙段検索手段と、蓄積された出力用画像データを出力する画像データ出力手段と、各画像形成手段の処理シーケンスを管理する管理手段とを有する。【選択図】        図１
2004186804.tif 000002
【特許請求の範囲】
【請求項１】
複数または単数の画像データを入力する画像データ入力手段と、
集約モードが設定されている場合は、集約前の画像データ毎に前記画像データ入力手段で入力された前記画像データを、蓄積画像データとして蓄積する画像データ蓄積手段と、
前記蓄積画像データを集約・編集をして、出力用の集約・編集画像データを生成する集約・編集画像データ生成手段と、
前記集約・編集画像データを出力する給紙段を検索する給紙段検索手段と、
前記集約・編集画像データを出力する画像データ出力手段と、
各画像形成手段の処理シーケンスを管理する管理手段と、
を有することを特徴とする画像形成装置。
【請求項２】
前記集約・編集画像データ生成手段は、前記集約モードが設定されている場合の前記画像データの入力時に、集約して印刷を行なう画像データサイズを画像データ情報として保持することを特徴とする請求項１記載の画像形成装置。
【請求項３】
前記集約・編集画像データ生成手段は、前記集約・編集画像データを生成する際に、前記画像データから出力画像サイズを求めずに、保持した前記画像データサイズを出力画像サイズとすることを特徴とする請求項１または２記載の記載の画像形成装置。
【請求項４】
前記集約・編集画像データ生成手段は、前記集約モードが設定されている場合に、集約方向を画像データ情報として保持することを特徴とする請求項１記載の画像形成装置。
【請求項５】
前記集約・編集画像データ生成手段は、前記集約・編集画像データを生成する際に、前記画像データの集約を画像蓄積前に設定した集約方向に従うことを特徴とする請求項１または４記載の記載の画像形成装置。
【請求項６】
前記給紙段検索手段は、給紙段検索時に前記集約・編集画像データ生成手段で生成した出力用画像データサイズと給紙段に設定されている転写紙サイズの比較時に設定可能な最小単位の大きさの範囲で判定することを特徴とする請求項１記載の画像形成装置。
【請求項７】
前記給紙段検索手段は、前記画像データの入力時の集約出力画像データサイズで出力をすることを特徴とする請求項１または６記載の画像形成装置。
【請求項８】
複数または単数の画像データを入力する画像データ入力ステップと、
集約モードが設定されている場合は、集約前の画像データ毎に前記画像データ入力ステップで入力された前記画像データを、蓄積画像データとして蓄積する画像データ蓄積ステップと、
前記蓄積画像データを集約・編集をして、出力用の集約・編集画像データを生成する集約・編集画像データ生成ステップと、
前記集約・編集画像データを出力する給紙段を検索する給紙段検索ステップと、
前記集約・編集画像データを出力する画像データ出力ステップと、
各画像形成ステップの処理シーケンスを管理する管理ステップと、
を有することを特徴とする画像形成方法。
【請求項９】
複数または単数の画像データを入力する画像データ入力処理と、
集約モードが設定されている場合は、集約前の画像データ毎に前記画像データ入力処理で入力された前記画像データを、蓄積画像データとして蓄積する画像データ蓄積処理と、
前記蓄積画像データを集約・編集をして、出力用の集約・編集画像データを生成する集約・編集画像データ生成処理と、
前記集約・編集画像データを出力する給紙段を検索する給紙段検索処理と、
前記集約・編集画像データを出力する画像データ出力処理と、
各画像形成ステップの処理シーケンスを管理する管理処理と、
をコンピュータに実行させるためのプログラムを記録した記録媒体。
【発明の詳細な説明】
【０００１】
【発明の属する技術分野】
本発明は、デジタル複写機、アナログ複写機等の印刷全般にかかる画像形成装置、画像形成方法および記録媒体に関する。
【０００２】
【従来の技術】
従来から、画像データを圧縮かつ分割させて記憶手段に蓄積する技術があるが、分割圧縮画像データ群を一旦復元し、その後再度、圧縮かつ分割して記憶手段に蓄積させる処理についての工夫は何ら提案されていなかった。
【０００３】
上記のような問題を解決するために、従来技術例として、中央演算処理装置が一旦蓄積メモリに分割して蓄積された分割圧縮画像データ群を復元して画像処理を施した後、再度、圧縮かつ分割して蓄積メモリに蓄積させる際、メモリの空きエリアが不足であれば、画像処理を施す前の分割圧縮画像データ群が記憶されていたメモリエリアも使用し、空きメモリエリア不足による処理の中断を可能な限り回避する画像処理装置がある（例えば、特許文献１参照）。また、フォーム合成モードと集約モードとが組み合わされている場合、フォーム画像を集約画像の中央に合成し、フォーム合成モードと週刊誌綴じモードとが組み合わされている場合、フォーム画像を各頁の原稿画像に合成する画像形成装置がある（例えば、特許文献２参照）。
【０００４】
【特許文献１】
特開２０００−２４４７２０号公報
【特許文献２】
特開２００２−１４２０９３号公報
【０００５】
【発明が解決しようとする課題】
近年、コピーやプリンタ印刷で使用する印刷モード、紙の種類、紙のサイズなどの設定がより詳細に行なえるようになり、ユーザが期待する多くの機能を実現することが可能となってきている。ユーザが自由に転写紙や原稿の大きさを設定し使用する事も可能で、前記転写紙や原稿を使用した場合でも搭載するほとんど全ての印刷とコピーのモードに対応する事が必要不可欠となっている。
【０００６】
多くの印刷とコピーのモードが存在するが、特に、印刷時の編集機能として週刊誌モードがある。この週刊誌モードには、任意の原稿をセットして週刊誌モードでコピーを行なう場合や、週刊誌モードで読み取った画像データを画像形成装置に蓄積保存する場合、蓄積されている画像データを週刊誌モードで印刷を行なう場合の３つがある。これら全ての週刊誌モードの印刷やコピーにおいても、定形の転写紙で行なうのではなく、ユーザが任意に指定した原稿や転写紙でも必要不可欠となっている。
【０００７】
本発明は、ユーザが任意の設定をした転写紙で週刊誌モードの印刷やコピーを行なう画像形成装置、画像形成方法および記録媒体を提供することを目的とする。
【０００８】
【課題を解決するための手段】
かかる目的を達成するために、請求項１記載の画像形成装置は、複数または単数の画像データを入力する画像データ入力手段と、集約モードが設定されている場合は、集約前の画像データ毎に画像データ入力手段で入力された画像データを、蓄積画像データとして蓄積する画像データ蓄積手段と、蓄積画像データを集約・編集をして、出力用の集約・編集画像データを生成する集約・編集画像データ生成手段と、集約・編集画像データを出力する給紙段を検索する給紙段検索手段と、集約・編集画像データを出力する画像データ出力手段と、各画像形成手段の処理シーケンスを管理する管理手段とを有することを特徴としている。
【０００９】
請求項２記載の画像形成装置は、請求項１記載の画像形成装置において、集約・編集画像データ生成手段は、集約モードが設定されている場合の画像データの入力時に、集約して印刷を行なう画像データサイズを画像データ情報として保持することを特徴としている。
【００１０】
請求項３記載の画像形成装置は、請求項１または２記載の画像形成装置において、集約・編集画像データ生成手段は、集約・編集画像データを生成する際に、前記画像データから出力画像サイズを求めずに、保持した前記画像データサイズを出力画像サイズとすることを特徴としている。
【００１１】
請求項４記載の画像形成装置は、請求項１記載の画像形成装置において、集約・編集画像データ生成手段は、集約モードが設定されている場合に、集約方向を画像データ情報として保持することを特徴としている。
【００１２】
請求項５記載の画像形成装置は、請求項１又は４記載の画像形成装置において、集約・編集画像データ生成手段は、集約・編集画像データを生成する際に、画像データの集約を画像蓄積前に設定した集約方向に従うことを特徴としている。
【００１３】
請求項６記載の画像形成装置は、請求項１記載の画像形成装置において、給紙段検索手段は、給紙段検索時に集約・編集画像データ生成手段で生成した出力用画像データサイズと、給紙段に設定されている転写紙サイズの比較時に設定可能な最小単位の大きさの範囲で判定することを特徴としている。
【００１４】
請求項７記載の画像形成装置は、請求項１または６記載の画像形成装置において、給紙段検索手段は、画像データの入力時の集約出力画像データサイズで出力をすることを特徴としている。
【００１５】
請求項８記載の画像形成方法は、複数または単数の画像データを入力する画像データ入力ステップと、集約モードが設定されている場合は、集約前の画像データ毎に画像データ入力ステップで入力された画像データを、蓄積画像データとして蓄積する画像データ蓄積ステップと、蓄積画像データを集約・編集をして、出力用の集約・編集画像データを生成する集約・編集画像データ生成ステップと、集約・編集画像データを出力する給紙段を検索する給紙段検索ステップと、集約・編集画像データを出力する画像データ出力ステップと、各画像形成ステップの処理シーケンスを管理する管理ステップとを有することを特徴としている。
【００１６】
請求項９記載の記録媒体は、複数または単数の画像データを入力する画像データ入力処理と、集約モードが設定されている場合は、集約前の画像データ毎に画像データ入力処理で入力された画像データを、蓄積画像データとして蓄積する画像データ蓄積処理と、蓄積画像データを集約・編集をして、出力用の集約・編集画像データを生成する集約・編集画像データ生成処理と、集約・編集画像データを出力する給紙段を検索する給紙段検索処理と、集約・編集画像データを出力する画像データ出力処理と、各画像形成ステップの処理シーケンスを管理する管理処理とをコンピュータに実行させるためのプログラムを記録することを特徴としている。
【００１７】
【発明の実施の形態】
以下、本発明の実施の形態について、添付図面を参照にしながら詳細に説明する。
【００１８】
図１の実施例では操作部１でユーザが各種出力モードを選択すると、その情報がシーケンス制御部４に通知される。原稿の読み取りを行なう場合は、スキャナ制御６を行なう。スキャナは、原稿を載置して読み取りを行なうコンタクトガラス、また原稿を一枚ずつ自動的に読み取りユニット上に送る自動原稿送り装置（ＡＤＦ）、読み取りユニットなどで構成されている（図示せず）。読み取りユニットには、原稿を露光する光源、原稿の反射光を受光する光電変換素子、反射ミラー、走査ユニットで構成される。
【００１９】
原稿をスキャナで読み取った画像データは、シーケンス制御４に送られる。画像蓄積を行なう場合は、前記画像データを順次ＨＤＤ８へ保存を行なっていく。前記画像データを出力する場合や、一旦蓄積された画像データを出力する場合には、転写紙の給紙を給紙段制御９で行った後、プロッタ制御１０で画像データを実際に出力する。
【００２０】
転写紙の給紙を行なう給紙段制御９では、画像データを最適な転写紙で出力を行なうため各給紙段の状態と、給紙段にセットされている転写紙と紙種と、生産性向上のため最短の搬送経路となるように給紙を行なう給紙段検索の制御を行っている。給紙段には、通常給紙段、大量転写紙がセット可能な大量給紙段などの給紙段そのもの種類も存在する。
【００２１】
実際に画像データの出力を行なうプロッタ制御１０では、画像データに応じたレーザを照射する半導体レーザ、レーザを等加速度偏光するポリゴンミラー、レーザ光を受ける感光体ドラム、ドラムを帯電させる帯電器、帯電した箇所にトナーを載せる現像器、ドラム上に作像された画像を転写紙に載せる転写ベルト、ドラム上に作像されたトナーを剥離する剥離器、ドラムをクリーニングするクリーニング器、転写紙を排出する半走路などで構成されている。
【００２２】
画像データは、スキャナから画像データが送られてくるだけではなく、画像情報入力部５からも画像データが送られてくる。画像情報入力部５は、外部機器とのインターフェースを持ち電子化された画像データをシーケンス制御４に通知する処理を行っている。
【００２３】
図２の画像形成装置の概略構造図について説明を行なう。図２は、画像形成装置２−１内部にドラム状の感光体２−２がある。感光体２−２は、作像プロセスが開始されると駆動モータにより回転駆動される。回転駆動された上位にある帯電チャージャ２−３により、その感光体２−２の表面が一様に帯電される。光書き込みユニット２−４により画像データに従いレーザビームを感光体２−２に並行に主走査しながら照射し露光を行なう。露光することにより、感光体２−２の表面に静電潜像を作製する。静電潜像に、現像ユニット２−５によりトナーを付着させて可視像化する。
【００２４】
タンデムトレイ２−６が画像形成装置２−１に備えられ、このタンデムトレイ２−６から、ピックアップローラ２−７の何れかの回転により用紙が選択的に所定の用紙間隔を保って搬送路に供給される。供給されたときに、サイズ検知センサ２−１０で用紙のサイズを検知する。用紙は感光体２−２の近傍に位置するレジスト合わせ機能を備えた上下方向に対をなし、制御ローラ２−８に突き当てられた状態で待機する。
【００２５】
感光体２−２上にあるトナー像を、感光体２−２の回転に同期させて、制御ローラ２−８も一定のタイミングで回転を開始させ、用紙を感光体２−２とその下方に設けられた画像形成部となる転写・分離部２−９との対向位置へ搬出する。制御ローラ２−８は、用紙がその制御ローラ２−８に達するまでの搬送速度よりも速い搬送速度で用紙を搬送するため、用紙が転写・分離部２−９に達した時点では、先行する用紙の後端と後続の用紙の先端との用紙間隔はほとんどゼロに近いきわめて小さな間隔となる。転写・分離部２−９に達した用紙は、転写チャージャの作用により、感光体２−２上のトナー像を転写される。そして、その感光体２−２から分離されて搬送ベルトによって定着器に送られ、そこで画像が加熱定着される。
【００２６】
図３のフローチャートについて説明を行なう。画像が原稿読み取り載置にセットされ、出力モードに週刊誌が設定される。週刊誌モードが設定されると（Ｓ３０１／ＹＥＳ）、集約した後の画像データではなく原稿毎の画像データを１つの画像情報として保持する動作を行なう。そのため、週刊誌モードが設定されているかどうかを判断する必要がある。週刊誌モードでない場合は（Ｓ３０１／ＮＯ）、このフローから抜けて、ユーザが設定したモードによる画像データ処理が行なわれる（Ｓ３１０）。
【００２７】
ここで，図３のフローでは、次の処理を画像データの生成（Ｓ３０２）と記述しているが、実際には週刊誌モードの設定がされている場合は画像データの生成時に給紙段指定であるか自動用紙選択指定であるか判定を行なう（図示せず）。給紙段指定か自動用紙選択かによって画像データの処理が変わってくる。給紙段指定であれば、指定された給紙段にセットされている転写紙サイズを参照し、前記転写紙サイズの長辺を１／２した大きさを画像データサイズとする。自動用紙選択であれば、ユーザがセットした原稿にユーザが指定した変倍率を掛けて求まったサイズの２倍した大きさを画像データサイズとする。
【００２８】
前記生成された画像データをハードディスクドライブ（Ｈａｒｄ  Ｄｉｓｋ  Ｄｒｉｖｅ：以後ＨＤＤという）に蓄積保存するかどうかの判定を行なう（Ｓ３０３）。全画像データのメモリサイズ容量に対してランダムアクセスメモリ（Ｒａｎｄｏｍ  Ａｃｃｅｓｓ  Ｍｅｍｏｒｙ：以後ＲＡＭという）容量が大きい場合にはＨＤＤに画像データを蓄積する必要が無いため、画像データの蓄積を行なわずに出力処理へ移行する（Ｓ３０３／ＮＯ）。もしくは、画像データ量が少なくＲＡＭ上に展開できる量であればＨＤＤへ画像データの蓄積を行なう必要が無いため、画像蓄積を行なう処理は行なわない（Ｓ３０３／ＮＯ）。画像データの蓄積を行なう場合は（Ｓ３０３／ＹＥＳ）、入力された画像データの情報を画像データ毎に画像データサイズなどの全属性を保持させる（Ｓ３０４）。
【００２９】
次の処理では，実際に画像データを週刊誌モードで出力を行なうかどうか判定を行なう。画像データの蓄積のみを行なう場合は（Ｓ３０５／ＮＯ）、出力処理を行なわないためここで全制御が終了する。画像データの出力を行なう場合は（Ｓ３０５／ＹＥＳ）、出力をするための週刊誌モードにおける集約・編集画像データの生成を行なう（Ｓ３０６）。
【００３０】
集約・編集画像データの生成を行なう場合（Ｓ３０６）、出力モードの指定が給紙段指定であるか自動用紙設定であるかによって動作が異なってくる。自動用紙選択では、画像データのサイズの短辺を２倍した大きさの集約・編集画像データを生成する。給紙段指定であれば、指定された給紙段にセットされている転写紙サイズで集約・編集画像データサイズを生成する。
【００３１】
集約・編集画像データを生成すると実際に前記画像データの出力を行なうために給紙段検索を行なう。この検索処理では前記画像データの大きさ、転写紙種類などの画像データの属性が一致するか判定を行なう。属性が一致する転写紙がセットされている給紙段が確定すれば（Ｓ３０７／ＹＥＳ）、前記確定した給紙段から転写紙の給紙を行ない、その後、集約・編集画像データの出力を行ない（Ｓ３０８）、このシーケンス制御を終了する。属性が一致する転写紙がセットされている給紙段が確定できない場合は（Ｓ３０７／ＮＯ）、ユーザに対して属性が一致する転写紙を給紙段にセットするように警告メッセージを表示し（Ｓ３０９）、ユーザに促す処理を行ない、このシーケンス制御を終了する。
【００３２】
例えば、給紙段にセットされている転写紙のサイズが主走査方向長：１４８．０ｍｍ、副走査方向長：２００．１ｍｍと任意のサイズであるとする。この転写紙が入っている給紙段を指定して週刊誌モードで読み込み処理を行なうと、画像データのサイズは原稿がどのようなサイズであったとしても、主走査方向長：１４８．０ｍｍ、副走査方向長：１００．０ｍｍとなる。この画像データのサイズの短辺を２倍して集約・編集画像データを求めると、前記集約・編集画像データのサイズは主走査方向長：１４８．０ｍｍ、副走査方向長：２００．０ｍｍとなり、給紙段検索処理では集約・編集画像データのサイズと給紙を行なう給紙段の転写紙サイズが主走査方向長と副走査方向長共に一致していなければ給紙段確定しないため、ユーザが望む給紙段から集約・編集画像データの出力が行なえなくなってしまう。
【００３３】
そのため図２のフローの集約・編集画像データを生成する際に、給紙段指定がされているなら、画像データを入力する時に前記給紙段にセットされていた転写紙のサイズを画像データの属性として保持し、集約・編集画像データを生成する際には、画像データを２倍して集約・画像データを生成するのではなく画像データの属性として保持していた前記給紙段にセットされた転写紙サイズを集約・編集画像データサイズとして生成する方法を用いると、集約・編集画像データのサイズは主走査方向長：１４８．０ｍｍ、副走査方向長：２００．１ｍｍとなるため、給紙段検索ではユーザが望む給紙段の転写紙サイズと一致することになる。従って集約・編集画像データの出力を可能としている。
【００３４】
そして、図２のフローの給紙段処理を行なう際に、画像データの短辺を２倍した集約・編集画像データのサイズと入力時に指定した給紙段にセットされている転写紙のサイズが一致しない場合がある。この場合に、画像データのサイズの短辺を２倍した集約・編集画像データのサイズの長辺と給紙段にセットされている転写紙のサイズの長辺が転写紙としてユーザが自由に設定可能な大きさの最小単位の許容範囲を持って給紙段確定の判定を行なう方法を用いると、集約・編集画像データのサイズの長辺：２００．０ｍｍを２００．０ｍｍ〜２００．１ｍｍという範囲を持たせて給紙段検索を行なうため、ユーザが指定した給紙段の転写紙とサイズが一致させることが可能となる。
【００３５】
また、図２のフローの集約・編集画像データを生成する際に、原稿の集約方向を画像データの属性として保持し、集約・編集画像データを生成する際には画像データを集約する方向を画像データの属性として保持していた前記集約方向に従って画像データを２倍し集約・編集画像データサイズを生成する方法を用いるため、ユーザが指定した給紙段の転写紙サイズの長辺を１／２した長さが転写紙サイズの短辺よりも長いような転写紙であったとしても、前記転写紙と同一方向に集約・編集画像データのサイズを生成することが可能となる。
【００３６】
【発明の効果】
請求項１記載の画像形成装置によれば、請求項１記載の画像形成装置は、複数または単数の画像データを入力する画像データ入力手段と、集約モードが設定されている場合は、集約前の画像データ毎に画像データ入力手段で入力された画像データを、蓄積画像データとして蓄積する画像データ蓄積手段と、蓄積画像データを集約・編集をして、出力用の集約・編集画像データを生成する集約・編集画像データ生成手段と、集約・編集画像データを出力する給紙段を検索する給紙段検索手段と、集約・編集画像データを出力する画像データ出力手段と、各画像形成手段の処理シーケンスを管理する管理手段とを有することを特徴としているので、集約モードでコピーや蓄積文書の出力と併用して使用することを可能とする効果がある。
【００３７】
請求項２記載の画像形成装置によれば、請求項１記載の画像形成装置において、集約・編集画像データ生成手段は、集約モードが設定されている場合の画像データの入力時に、集約して印刷を行なう画像データサイズを画像データ情報として保持することを特徴としているので、ユーザが任意に設定した転写紙に対しても出力を行なうことを可能とする効果がある。
【００３８】
請求項３記載の画像形成装置によれば、請求項１または２記載の画像形成装置において、集約・編集画像データ生成手段は、集約・編集画像データを生成する際に、前記画像データから出力画像サイズを求めずに、保持した前記画像データサイズを出力画像サイズとすることを特徴としているので、ユーザが任意に設定した転写紙に対しても出力を行なうことを可能とする効果がある。
【００３９】
請求項４記載の画像形成装置によれば、請求項１記載の画像形成装置において、集約・編集画像データ生成手段は、集約モードが設定されている場合に、集約方向を画像データ情報として保持することを特徴としているので、ユーザが任意に設定した転写紙に対しても出力を行なうことを可能とする効果がある。
【００４０】
請求項５記載の画像形成装置によれば、請求項１又は４記載の画像形成装置において、集約・編集画像データ生成手段は、集約・編集画像データを生成する際に、画像データの集約を画像蓄積前に設定した集約方向に従うことを特徴としているので、ユーザが任意に設定をした集約条件で出力が得ることができる効果がある。
【００４１】
請求項６記載の画像形成装置によれば、請求項１記載の画像形成装置において、給紙段検索手段は、給紙段検索時に集約・編集画像データ生成手段で生成した出力用画像データサイズと、給紙段に設定されている転写紙サイズの比較時に設定可能な最小単位の大きさの範囲で判定することを特徴としているので、ユーザが任意に設定をした集約条件で出力が得ることができる効果がある。
【００４２】
請求項７記載の画像形成装置によれば、請求項１または６記載の画像形成装置において、給紙段検索手段は、画像データの入力時の集約出力画像データサイズで出力をすることを特徴としているので、ユーザが任意に設定した転写紙に対しても出力を行なうことを可能とする効果がある。
【００４３】
請求項８記載の画像形成方法によれば、複数または単数の画像データを入力する画像データ入力ステップと、集約モードが設定されている場合は、集約前の画像データ毎に画像データ入力ステップで入力された画像データを、蓄積画像データとして蓄積する画像データ蓄積ステップと、蓄積画像データを集約・編集をして、出力用の集約・編集画像データを生成する集約・編集画像データ生成ステップと、集約・編集画像データを出力する給紙段を検索する給紙段検索ステップと、集約・編集画像データを出力する画像データ出力ステップと、各画像形成ステップの処理シーケンスを管理する管理ステップとを有することを特徴としているので、集約モードでコピーや蓄積文書の出力と併用して使用することを可能とする効果がある。
【００４４】
請求項９記載の記録媒体によれば、複数または単数の画像データを入力する画像データ入力処理と、集約モードが設定されている場合は、集約前の画像データ毎に画像データ入力処理で入力された画像データを、蓄積画像データとして蓄積する画像データ蓄積処理と、蓄積画像データを集約・編集をして、出力用の集約・編集画像データを生成する集約・編集画像データ生成処理と、集約・編集画像データを出力する給紙段を検索する給紙段検索処理と、集約・編集画像データを出力する画像データ出力処理と、各画像形成ステップの処理シーケンスを管理する管理処理とをコンピュータに実行させるためのプログラムを記録することを特徴としているので、集約モードでコピーや蓄積文書の出力と併用して使用することを可能とする効果がある。
【図面の簡単な説明】
【図１】本発明の実施形態である画像形成装置の電気的構成を示すブロック図である。
【図２】本発明の実施形態である画像形成装置の概略構造図である。
【図３】本発明の実施形態である画像形成装置の動作の流れを示すフローチャートである。
【符号の説明】
１  操作部
２−１  画像形成装置
２−２  感光体
２−３  帯電チャージャ
２−４  光書き込みユニット
２−５  現像ユニット
２−６  タンデムトレイ
２−７  ピックアップローラ
２−８  制御ローラ
２−９  転写・分離部
３  表示部
４  シーケンス部
５  画像情報入力部
６  スキャナ部
７  ＲＡＭ
８  ＨＤＤ
９  給紙段制御
１０  プロッタ制御
【図１】
2004186804.tif 000003
【図２】
2004186804.tif 000004
【図３】
2004186804.tif 000005